(57)【要約】  ビードワイヤの断面形状及び配置の適正化を図ることによりビード部の耐久性の向上を図る。  この空気入りタイヤは、タイヤ周方向に延びる複数本のビードワイヤで構成してなるビードコアを埋設した一対のビード部と、該ビード部からタイヤ径方向外側に延びる一対のサイドウォール部と、両サイドウォール部間に跨って延びるトレッド部とを具え、これら各部に亘ってトロイド状に延び、両端部をビードコアの周りに折り返してなるカーカスを有する。そして、タイヤ幅方向断面にてビードワイヤは、隣接するビードワイヤと相互に補完的に係合する相補的形状部を有する。
2008143288.tif 000002
【特許請求の範囲】
【請求項１】
タイヤ周方向に延びる複数本のビードワイヤで構成してなるビードコアを埋設した一対のビード部と、該ビード部からタイヤ径方向外側に延びる一対のサイドウォール部と、両サイドウォール部間に跨って延びるトレッド部とを具え、これら各部に亘ってトロイド状に延び、両端部を前記ビードコアの周りに折り返してなるカーカスを有する空気入りタイヤにおいて、
タイヤ幅方向断面にて、前記ビードワイヤは、隣接するビードワイヤと相互に補完的に係合する相補的形状部を有することを特徴とする空気入りタイヤ。
【請求項２】
前記ビードワイヤは、タイヤ幅方向断面にて、タイヤ径方向に対して傾斜して直線状に延びるとともに相互に平行する二つの直線部を有し、前記相補的形状部は、前記二つの直線部間に配置されている、請求項１に記載の空気入りタイヤ。
【請求項３】
前記相補的形状部は、前記二つの直線部間の全体に亘って延びる、請求項２に記載の空気入りタイヤ。
【請求項４】
前記ビードワイヤの前記相補的形状部のタイヤ幅方向の長さは、該ビードワイヤのタイヤ幅方向の長さの２０％以上である、請求項１〜３の何れか一項に記載の空気入りタイヤ。
【請求項５】
前記ビードワイヤは、タイヤ幅方向断面にて、同一形状の二つの方形をずらして重ねてなる輪郭形状を有する、請求項１〜４の何れかに記載の空気入りタイヤ。
【請求項６】
前記ビードワイヤは、タイヤ幅方向断面における重心に関して点対称をなす、請求項１〜５の何れか一項に記載の空気入りタイヤ。
【請求項７】
前記ビードワイヤの直線部から前記相補的形状部への遷移領域に形成される角部は面取りされている、請求項２〜６の何れか一項に記載の空気入りタイヤ。
【請求項８】
タイヤ幅方向断面にて、前記ビードコアのタイヤ径方向下側及び上側の輪郭線は直線状に延びる、請求項１〜７の何れか一項に記載の空気入りタイヤ。
【請求項９】
タイヤ幅方向断面にて、前記ビードコアのタイヤ径方向下側の前記輪郭線とタイヤ径方向とのなす角は７５度以上９０度以下の範囲にある、請求項１〜８の何れか一項に記載の空気入りタイヤ。
【請求項１０】
タイヤ幅方向断面にて、前記ビードワイヤの横幅はその縦幅よりも大きい、請求項１〜９の何れか一項に記載の空気入りタイヤ。
【請求項１１】
隣接する前記ビードワイヤは、互いに接触している、請求項１〜１０の何れか一項に記載の空気入りタイヤ。
【請求項１２】
前記ビードコアは、前記ビードワイヤを金属帯により、又は該ビードコアの延在方向に螺旋状に巻回されたテキスタイルにより集束固定してなる、請求項１〜１１の何れか一項に記載の空気入りタイヤ。
【請求項１３】
前記ビードコアは、複数本の前記ビードワイヤをタイヤ径方向に積層状に複数回巻回したものをタイヤ幅方向に並列に配置して構成したものであり、同一ビードワイヤの巻き始め端と、巻き終わり端とのタイヤ周方向位置が異なる、請求項１〜１２の何れか一項に記載の空気入りタイヤ。
【請求項１４】
前記ビードコアは、複数本の前記ビードワイヤをタイヤ径方向に積層状に複数回巻回したものをタイヤ幅方向に並列に配置して構成したものであり、各ビードワイヤの巻き始め端及び巻き終わり端のタイヤ周方向位置がそれぞれ相互に異なる、請求項１〜１３の何れか一項に記載の空気入りタイヤ。
【請求項１５】
前記ビードコアの、タイヤ幅方向における断面形状は、平行四辺形又は長方形である、請求項１〜１４の何れか一項に記載の空気入りタイヤ。
【請求項１６】
前記ビードコアと前記カーカスとの間、及び前記ビードコアのタイヤ径方向上側の少なくとも一方に、８５Ｈｓ以上のゴム硬度を有するゴム部材を配置した、請求項１〜１５の何れか一項に記載の空気入りタイヤ。
【発明の詳細な説明】
【技術分野】
【０００１】
この発明は、タイヤ周方向に延びる複数本のビードワイヤで構成してなるビードコアを埋設した一対のビード部と、該ビード部からタイヤ径方向外側に延びる一対のサイドウォール部と、両サイドウォール部間に跨って延びるトレッド部とを具え、さらにこれら各部に亘ってトロイド状に延び、両端部を前記ビードコアの周りに折り返してなるカーカスを有する空気入りタイヤに関するものである。
【背景技術】
【０００２】
一般に空気入りタイヤのビードコアは、リムとの嵌合性を高め気密性を確保するという機能のみならずカーカスを係留するという重要な機能を有している。また通常、これらを適正に機能させるためには、加硫時のビードコアの崩れを抑制したり、リム組み性を良化したりする必要がある。【０００３】
そこで、従来、特開昭４９−１１９３０１号公報に記載されているように、タイヤ幅方向断面にて平行な対向二辺を持つ四辺形断面のビードワイヤを、タイヤ幅方向かつタイヤ径方向に相互に接触するように巻回してビードコアを成形し、それにより相互に隣接するビードワイヤ同士の接触面積を大きくしてビードコアの形状安定性を向上させる提案がなされている。【０００４】
また、特開昭６３−３１２２０７号公報に記載されているように、タイヤ幅方向断面にてタイヤ径方向で対向する辺が平行し、かつ側部の対向辺の対辺距離が可変的である形状のビードワイヤを用いることでビードコアの形状安定性及びリム組み性の良化を図る提案がなされている。
【発明の開示】
【発明が解決しようとする課題】
【０００５】
しかしながら、上記文献に記載されているようなタイヤは、加硫時におけるビードコアの崩れの抑制やリム組み性の良化等は成し得るものの、タイヤの耐久性、特には、ビード部の耐久性には着眼されていないため、近年増加しつつある重荷重化への要求に照らし合わせてみると、ビード部の耐久性という点では十分とはいえない。つまり、ビードワイヤは、空気充填時や経時変化時にはタイヤ幅方向断面にてカーカスが引き抜ける方向へ回転する変形を受けることになるから、この変形がカーカスの係留力を低下させ、いわゆるカーカス引き抜けを引き起こしビード部の耐久性を低下させるという問題がある。【０００６】
それゆえこの発明は、ビードワイヤの断面形状及び配置の適正化を図ることによりカーカス引き抜けを抑制し、ビード部の耐久性の向上させることを目的するものである。
【課題を解決するための手段】
【０００７】
この発明は、上記目的を達成するためになされたものであり、タイヤ周方向に延びる複数本のビードワイヤで構成してなるビードコアを埋設した一対のビード部と、該ビード部からタイヤ径方向外側に延びる一対のサイドウォール部と、両サイドウォール部間に跨って延びるトレッド部とを具え、これら各部に亘ってトロイド状に延び、両端部を前記ビードコアの周りに折り返してなるカーカスを有する空気入りタイヤにおいて、タイヤ幅方向断面にて、前記ビードワイヤは、隣接するビードワイヤと相互に補完的に係合する相補的形状部を有することを特徴とする空気入りタイヤである。【０００８】
かかる空気入りタイヤにあっては、ビードコア内の隣接するビードワイヤが相補的形状部により互いに係合しているので、相互に応力を伝達し易い。そのため、空気充填時や経時変化時等にビードコアに付加される回転応力は効率的に分散され、ビードコア全体としての回転変化は小さくなる（即ち、回転剛性が大きくなる）。また、ビードコアに回転応力が付加された場合に、上記相補的形状部は隣接するビードワイヤの移動を制限するよう作用するため、ビードワイヤのタイヤ径方向への移動は抑制される。この結果、ビードコアに回転応力が付加された際の各ビードワイヤの、タイヤ幅方向断面における張力分布は均一化される。【０００９】
なお、この発明の空気入りタイヤにあっては、ビードワイヤは、タイヤ幅方向断面にて、タイヤ径方向に対して傾斜して直線状に延びるとともに相互に平行する二つの直線部を有し、相補的形状部は、二つの直線部間に配置されていることが好ましい。【００１０】
また、相補的形状部は、二つの直線部間の全体に亘って延びることが好ましい。【００１１】
さらに、ビードワイヤの相補的形状部のタイヤ幅方向の長さは、該ビードワイヤのタイヤ幅方向の長さの２０％以上であることが好ましい。【００１２】
さらに、ビードワイヤは、タイヤ幅方向断面にて、同一形状の二つの方形をずらして重ねてなる輪郭形状を有することが好ましい。【００１３】
さらに、ビードワイヤは、タイヤ幅方向断面における重心に関して点対称をなすことが好ましい。【００１４】
さらに、ビードワイヤの直線部から相補的形状部への遷移領域に形成される角部は面取りされていることが好ましい。ここでいう「面取り」には、上記角部に直線状の傾斜をつけることのみならず、丸みをつけることも含む。【００１５】
さらに、タイヤ幅方向断面にて、ビードコアのタイヤ径方向下側及び上側の輪郭線は直線状に延びることが好ましく、さらに下側の輪郭線とタイヤ径方向とのなす角を７５度以上９０度以下の範囲にすることが好ましい。【００１６】
さらに、タイヤ幅方向断面にて、ビードワイヤの横幅はその縦幅よりも大きいことが好ましい。ここでいう「縦幅」とはタイヤ幅方向断面においてビードワイヤのタイヤ径方向の長さを指し、また「横幅」とはビードワイヤのタイヤ幅方向の長さを指すものとする。【００１７】
さらに、隣接するビードワイヤは、互いに接触していることが好ましい。【００１８】
さらに、ビードコアは、ビードワイヤを金属帯により、又は該ビードコアの延在方向に螺旋状に巻回されたテキスタイルにより集束固定してなることが好ましい。【００１９】
さらに、ビードコアは、複数本のビードワイヤをタイヤ径方向に積層状に複数回巻回したものをタイヤ幅方向に並列に配置して構成したものであり、同一ビードワイヤの巻き始め端と、巻き終わり端とのタイヤ周方向位置が異なることが好ましい。【００２０】
さらに、ビードコアは、複数本のビードワイヤをタイヤ径方向に積層状に複数回巻回したものをタイヤ幅方向に並列に配置して構成したものであり、各ビードワイヤの巻き始め端及び巻き終わり端のタイヤ周方向位置がそれぞれ相互に異なる好ましい。【００２１】
さらに、ビードコアの、タイヤ幅方向における断面形状は、平行四辺形又は長方形であることが好ましい。【００２２】
さらに、ビードコアとカーカスとの間、及びビードコアのタイヤ径方向上側の少なくとも一方に、８５Ｈｓ以上のゴム硬度を有するゴム部材を配置することが好ましい。なおここでいう「ゴム硬度」は、ＪＩＳ  Ｋ６２５３に従う、デュロメータ硬さ・タイプＡ試験機を用いて、試験温度２３℃にて測定したときのゴム硬さを意味する。
【発明の効果】
【００２３】
この発明によれば、互いに隣接するビードワイヤ間に相補的形状部を形成することにより、ビードコア全体としての回転剛性を大きくしてカーカス引き抜けを抑制することができ、従ってビード部の耐久性は顕著に向上する。
【図面の簡単な説明】
【００２４】
【図１】図１は、リムに適用されたこの発明に従う実施の形態の空気入りタイヤのビード部をタイヤ幅方向断面にて示す断面図である。
【図２】図２は、図1に示すビードコアの一部を拡大して示す拡大断面図である。
【図３】図３は、この発明の空気入りタイヤに好適に適用可能な種々のビードワイヤを例示するタイヤ幅方向の断面図である。
【図４】図４は、この発明の空気入りタイヤに好適に適用可能な種々のビードワイヤを例示するタイヤ幅方向の断面図である。
【図５】図５は、この発明の空気入りタイヤに好適に適用可能な種々のビードワイヤを例示するタイヤ幅方向の断面図である。
【図６】図６（ａ）〜（ｃ）は、この発明の空気入りタイヤに好適に適用可能な種々のビードワイヤを例示するタイヤ幅方向の断面図である。
【図７】図７（ａ）は、この発明の空気入りタイヤに好適に適用可能なビードコアの模式的な側面図であり、図７（ｂ）は、図７（ａ）に示すビードコアのタイヤ幅方向断面を模式的に示す断面図である。
【図８】図８（ａ）、（ｂ）は、それぞれこの発明に従う空気入りタイヤに好適に適用可能なビードコアの巻き始め端及び巻き終わり端を模式的に示す斜視図である。
【図９】図９は、リムに適用されたこの発明に他の従う実施の形態の空気入りタイヤのビード部をタイヤ幅方向断面にて示す断面図である。
【図１０】図１０は、リムに適用されたこの発明に他の従う実施の形態の空気入りタイヤのビード部のタイヤ幅方向の断面図である。
【符号の説明】
【００２５】
１  ビード部
２  ビードコア
３  ビードワイヤ
４  カーカス
５  リム
７  直線部
７ａ  上側直線部
７ｂ  下側直線部
８ａ、８ｂ  輪郭線
９  相補的形状部
９ａ  補完形状部
９ｂ  被補完形状部
１０  角部
１１  金属帯
１５  巻き始め端
１７  巻き終わり端
１９  高硬度ゴム
【発明を実施するための最良の形態】
【００２６】
以下に、この発明の実施の形態を図面に基づき説明する。ここに図1は、リムに適用されたこの発明の一実施形態の空気入りタイヤ（以下「タイヤ」という）のビード部のタイヤ幅方向断面を示す断面図である。図２は、図1のビードコアを拡大して示す拡大断面図である。【００２７】
この実施形態のタイヤは、図１に示すように、慣例に従いビード部１と、カーカス４と、図示しないトレッド部の補強に供される、カーカス４のクラウン部外周を取り囲んで積層した、図示しないゴム被覆スチールコードの複数層からなる図示しないベルト層とを具える。カーカス４は、ラジアルカーカス又はバイアスカーカスの何れでも良い。また、カーカス４は、例えばスチールコードをラジアル配列又はバイアス配列してなるプライを、一対のビードコア２間に亘ってトロイド状に跨って配置し、ビードコア２の周りにタイヤの内から外へ巻き返すことによって、ビードコア２にその両端が固定されている。【００２８】
ここでは、ビードコア２は、タイヤ幅方向に複数列（例えば、８列）に並列する環状のビードワイヤ３を複数段（例えば、６段）の積層状に積み重ねてなるものである。そして、図２に示すように、各ビードワイヤ３（ここでは、説明の便宜上、図２の紙面向かって左側からビードワイヤ３ａ、ビードワイヤ３ｂ及びビードワイヤ３ｃとする）は、タイヤ幅方向断面において、タイヤ径方向に対して傾斜して直線状に延びる直線部７と、相互に隣接するビードワイヤ３ａ，３ｂ，３ｃ間で形状的に相互に補完し合う相補的形状部９とを具えてなる。直線部７は、タイヤ径方向の上側（紙面向かって上側）と下側（紙面向かって下側）に相互に平行して延びる上側直線部７ａ及び下側直線部７ｂを有する。相補的形状部９は、ビードワイヤ３の二つの直線部７ａ、７ｂ間に配置され、隣接する他のビードワイヤ３を補完する部分である補完形状部９ａと、隣接する他のビードワイヤ３の補完形状部９ａに補完される被補完形状部９ｂとで構成される。例えば、ビードワイヤ３ｂは、凸状をなすその補完形状部９ａにて隣接するビードワイヤ３ａの凹状の被補完形状部９ｂを補完し、その一方で反対側に隣接するビードワイヤ３ｃの補完形状部９ａによって補完されている。なお、これらタイヤ幅方向に相互に隣接するビードワイヤ間の相互補完的な係合は、それらビードワイヤ間において完結するものである。つまり、図２に示すように、それぞれの補完形状部９ａ及び被補完形状部９ｂにより、ビードワイヤ３ａとビードワイヤ３ｂとが、及びビードワイヤ３ｂとビードワイヤ３ｃとが係合される。【００２９】
かかる実施形態の空気入りタイヤにあっては、隣接するビードワイヤ３は補完形状部９ａ及び被補完形状部９ｂを介して互いに係合しているので、相互に応力を伝達し易い。よって、空気充填時や経時変化時等にビードコア２に回転応力が付加されても、かかる回転応力は各ビードワイヤ３間に効果的に分散され、ビードコア２全体として回転変形は小さくなり、言い換えれば回転剛性は大きくなる。また、ビードコア２に回転応力が付加された場合に、上記相補的形状部９は隣接するビードワイヤ３の移動を制限するよう作用するため、ビードワイヤ３のタイヤ径方向への移動は抑制される。この結果、ビードコア２に回転応力が付加された際の各ビードワイヤ３の、タイヤ幅方向断面における張力分布は均一化される。【００３０】
このようにこの発明の空気入りタイヤによれば、互いに隣接するビードワイヤ３間に相補的形状部９を形成することにより、ビードコア全体としての回転剛性を大きくしてカーカス４の引き抜けを抑制することができ、従って、ビード部１の耐久性は顕著に向上する。【００３１】
次に、この発明に好適に利用可能な種々のビードワイヤ３について図３〜６に基づいて説明する。【００３２】
上述したように、補完形状部９ａ及び被補完形状部９ｂの形状は、隣接するビードワイヤ３同士を形状的に相互に補完し得るものであれば良いので、それらは、図１及び２に限定されるものではない。例えば、図３（ａ）〜（ｕ）に示すように、凸部及び凹部が複数であったり、曲線状であったり、キー及びキー溝型であったりしても良い。図３（ａ）〜（ｄ）、（ｉ）〜（ｌ）及び（ｍ）〜（ｑ）では、相補的形状部９は、二つの直線部７ａ、７ｂ間に全体に亘って延在している。これによれば、各ビードワイヤ３の相補的形状部９は、二つの直線部７ａ、７ｂ間に全体に亘って延在しているので、空気充填時や経時変化時等に起因した回転応力がビードワイヤ３に付加されても、相補的形状部９に局所的に力が加わることがなく、すなわち相補的形状部９に加わる力は効果的に分散される。その結果、ビードワイヤ３の変形量は少なくなり、回転剛性はさらに高まる。図３（ｅ）〜（ｈ）に示すビードワイヤ３は、タイヤ幅方向断面にて、同一形状の二つの方形Ｓ１、Ｓ２をずらして重ねてなる輪郭形状を有するものである。また、ビードワイヤ３は、図３（ａ）及び（ｂ）に示すように、タイヤ径方向に上下に隣接するビードワイヤ３は左右に揃えて配置しても良く、又は図３（ｃ）及び（ｄ）に示すように左右にずらして配置しても良い。【００３３】
また、図３に示す例では、タイヤ幅方向断面にて、ビードコア２のタイヤ径方向上側及び下側の輪郭線８ａ、８ｂは直線状に延びている。これによれば、ビードコア２のタイヤ径方向下側及び上面に凹凸が生じることがなく、ビードワイヤ３を束ねて使用する場合に形状くずれし難いので、すなわちビードコアの断面形状の安定性が高まるので、加硫時のビードコア２の崩れが抑制される。しかも、リムからの押圧力がビードワイヤ３の特定の箇所に集中することがないため、ビードワイヤ全体に均等に力がかかり、これらによって構成されるビードコア全体にも均等に力がかかることになるので、回転剛性としては高いものになる。加えて、下側の輪郭線８ｂとタイヤ径方向とのなす角度は、７５度以上９０度以下の範囲にあることが好ましい（特に、図３（ａ）参照）。このようにすれば、ビードワイヤ３を巻回してビードコア２を形成した際にビードコア２に所定のテーパ角度与え、ひいてはリムと当接するビード部１の下部に適正なテーパ角度を与えることができる。【００３４】
図４（ａ）〜（ｅ）に示す例は、タイヤ幅方向断面にて、隣接するビードワイヤ３間での相補的な係合が、タイヤ径方向に隣接するビードワイヤ３間で行われるものである。【００３５】
図５（ａ）〜（ｅ）に示す例では、少なくとも、ビードコアの直線状の輪郭線を構成するビードワイヤの直線部７ａ、７ｂから該ビードワイヤの相補的形状部への遷移領域に形成される角部１０は、面取りされている。このようにすれば、ビードコアに回転応力が生じた際の当該角部１０に加わる応力を効果的に分散させることができるので、ビードコアの耐久性をさらに向上させることができる。なお、このような観点からビードワイヤ３の全ての角部を面取りすることがより好ましい。【００３６】
図６（ａ）に示す例では、ビードワイヤ３は、タイヤ幅方向断面における該ビードワイヤ３の重心Ｐに関して点対称をなすものである。このようにすれば、ビードワイヤ３に回転応力が加わった際に、かかる重心Ｐを基点に引張力と圧縮力とを均等に分配することができるので、ビードワイヤ３の回転時におけるビードワイヤ３の変形を抑制することができ、その結果、ビードコアの回転剛性を一層高めることができる。【００３７】
図６（ｂ）に示す例では、タイヤ幅方向断面にて、ビードワイヤ３の横幅Ｗはその縦幅Ｈよりも大きい。これによれば、タイヤ径方向への巻きつけ回数を多くすることができるので、ビードワイヤ３の端部における応力集中の影響を効果的に低減してビード部１の耐久性を向上させることができる。【００３８】
加えて、図２及び図６（ｃ）に示す例では、ビードワイヤの相補的形状部のタイヤ幅方向の長さ、すなわち隣接するビードワイヤがタイヤ幅方向で係合している長さの総和（ここでは、補完形状部９ａのタイヤ幅方向の長さＸ１と被補完形状部９ｂのタイヤ幅方向の長さＸ２とを足したもの）は、該ビードワイヤのタイヤ幅方向の長さＸの２０％以上である。このようにすれば、十分な係合力が得られるので、ビードコアの回転剛性をさらに効果的に高めることができる。【００３９】
ところで、上記の実施形態では、隣接するビードワイヤ３は互いに直接的に接触しているが、隣接するビードワイヤ間に被覆ゴム等を介在させることもできる（図示せず）。しかしならが、被覆ゴムの経時的なクリープ変形に起因するビードコア２の形状くずれを防止するという観点からは、隣接するビードワイヤ３を互いに直接接触させることが好ましい（図１〜４参照）。このように、隣接するビードワイヤ３を相互に直接接触させることで、被覆ゴムを介在させた場合に比べてビードコア２の全体としての経時的変化を小さくすることができるので、さらにカーカス４の引き抜けを抑制することができるとともにカーカス４の端部の歪みを小さくすることができる。【００４０】
また、図７（ａ），（ｂ）に示すように、ビードコア２は、金属帯１１により集束固定されていることが好ましい。このようにすれば、加硫時及び走行時のビードコア２の形状崩れを抑制することができる。なお、金属体１１には例えば、スチールやアルミニウム合金製のものが好適に採用できる。またこれに代えて、例えば、ナイロン、レーヨン、ポリエステル等のテキスタイルを用いることもできる。【００４１】
さらに、図７（ａ）に示すように、ビードコア２は、複数本のビードワイヤ３をタイヤ径方向に積層状に複数回巻回したものをタイヤ幅方向に並列に配置した上で、同一ビードワイヤ３の巻き始め端１５と、巻き終わり端１７とのタイヤ周方向位置を相互に異ならせることが好ましい。このように複数本のビードワイヤ３で構成されるビードコア２は、１本のビードワイヤ３をタイヤ径方向に順次巻回して構成されたビードコア２に比べ、ビードコア２の生産に要する時間が大幅に短縮できる。しかしながら、ビードワイヤ３の巻き始め端１５や巻き終わり端１７がビードコア２周上の一箇所に集中すると、この段差に応力集中しやすく破壊強度の低下を招き、特に巻き始め端１５が曲げ応力の支点となりビード部１の損傷を起こすことがある。そこで、同一ビードワイヤ３の巻き始め端１５と巻き終わり端１７とをタイヤ周方向位置で異ならせることにより、ビードコア２の生産効率を向上させつつ、応力集中を低減させることができる。この場合、図７（ａ）に示すように、巻き始め端１５及び巻き終わり端１７とビードコア２の中心点Ｃとをそれぞれ結んでなる線分が相互に交わってなる角度θを、４０度以上８０度以下の範囲内にすることが好ましく、特には６０度とすることが好ましい。なぜなら、この角度θが４０度未満の場合は、応力集中の低減の効果が十分でなく、８０度を超えるとビードコア２の周上の重量バランスを低下させタイヤのユニフォミティーが悪化するからである。【００４２】
さらに、ビードコア２は、図８（ａ）、（ｂ）に示すように複数本のビードワイヤ３をタイヤ径方向に積層状に複数回巻回したものをタイヤ幅方向に並列に配置した上で、各ビードワイヤ３の巻き始め端１５及び巻き終わり端１７のタイヤ周方向位置をそれぞれ相互に異ならせることが好ましい。ビードコア２を複数本のビードワイヤ３で構成すると生産効率の面から有利であることは、上述の通りである。しかしながら、各ビードワイヤ３の巻き始め端１５及び巻き終わり端１７のタイヤ周方向位置がそれぞれ相互に同一の場合、すなわちこれら端１５及び１７がタイヤ幅方向に揃っている場合、これら段差に応力集中しやすく破壊強度の低下を招くとともに応力の支点となりビード部１の損傷を起こすことがある。そこで、各ビードワイヤ３の端１５及び１７を、周方向位置でそれぞれに異ならせることで、ビードコア２の生産効率を向上させつつ、応力集中を低減させることができる。【００４３】
さらに、ビードコア全体の、タイヤ幅方向における断面形状は、図３（ａ）及び（ｂ）に示すような長方形又は図３（ｃ）及び（ｄ）に例示すような平行四辺形であることが好ましい。このようにすれば、ビードコア全体の断面形状として成型し易い形状となる。【００４４】
さらに、図９に示すように、ビードコア２とカーカス４との間、及びビードコア２のタイヤ径方向上側の少なくとも一方に、８５Ｈｓ以上のゴム硬度を有する高硬度ゴム１９を配置することが好ましい。一般に、ゴム硬度の高いゴムは、低いゴムに比べて加硫時の流動が小さいことから、このように、ビードコア２とカーカス４との間に高硬度ゴム１９を配置すれば、加硫時のビードコア周辺のゴムの流動を小さくすることができ、ビードコア２の崩れを抑制することができる。また、ビードコア２のタイヤ径方向上側に高硬度ゴム１９を配置することで、荷重負荷時のビード部１の倒れ込みを抑制し、ビード部１内に発生するせん断歪みを小さくすることができるので、ビード部１の耐久性を向上させることができる。【００４５】
なお、上述したところは、この発明の実施形態の一部を示したに過ぎず、この発明の趣旨を逸脱しない限り、これらの構成を相互に組み合わせたり、種々の変更を加えたりすることができる。例えば、ビードコア２の周りにタイヤの内から外へ巻き返して配置されたカーカス４を、図１０に示すようにさらにビードコア２の周りを包囲するように配置させても良く、このようにすればカーカス４をさらに引き抜かれ難くし、ビード部１の耐久性を一層高めることができる。また、ビードワイヤ３のタイヤ幅方向断面における断面形状も、この明細書に例示的に示したものには限られるものではない。
【実施例】
【００４６】
次に、この発明の効果を確認するために、この発明に従うタイヤ（実施例）及び従来技術のタイヤ（従来例）を試作し以下の試験により比較検討を行った。【００４７】
試験に用いたタイヤはいずれも、タイヤサイズ１１Ｒ２２．５のチューブレスのトラック・バス用ラジアルタイヤであり、以下の諸元を有する。【００４８】
実施例１のタイヤは、図１に示したビード部を有するタイヤであり、ビードコアは、図５（ａ）に示すタイヤ幅方向断面を有する金属製のビードワイヤを、図１に示す向きにタイヤ幅方向８本並列に配置し、そしてタイヤ径方向に６層に巻き重ね金属帯により集束固定されてなる。なお、各ビードワイヤ間は、直接接触しており、ビードワイヤの直線部とタイヤ径方向のなす角度（ビードコアのタイヤ径方向下側の輪郭線とタイヤ径方向とのなす角度）は７５度であり、同一ビードワイヤの巻き始め端と、巻き終わり端との周方向位置は異なり、具体的には、巻き始め端及び巻き終わり端とビードコアの中心点とをそれぞれ結んでなる線分が相互に交わってなる角度（図７（ａ）参照）は、６０度であり、各ビードワイヤの巻き始め端及び巻き終わり端のタイヤ周方向位置はそれぞれ相互に異なるものである。また、このタイヤは、１層のカーカスの両端部がビードコアの周りにタイヤ内側から外側に折り返され、トレッド部のカーカス外周側には４層のベルト層を配置した構成である。なお、ビード部以外の構造については慣例の空気タイヤに従うものであり説明を省略する。【００４９】
実施例２のタイヤは、ビードワイヤが、図５（ｂ）に示すタイヤ幅方向断面を有することを除いて、実施例１のタイヤと同じ構成を有する。【００５０】
実施例３のタイヤは、ビードワイヤが、図５（ｃ）に示すタイヤ幅方向断面を有することを除いて実施例１〜２のタイヤと同じ構成を有する。【００５１】
実施例４のタイヤは、ビードワイヤが、図５（ｄ）に示すタイヤ幅方向断面を有することを除いて実施例１〜３のタイヤと同じ構成を有する。【００５２】
実施例５のタイヤは、ビードワイヤが、図５（ｅ）に示すタイヤ幅方向断面を有することを除いて実施例１〜４のタイヤと同じ構成を有する。【００５３】
従来例１のタイヤは、上記図５（ａ）〜（ｅ）に示すビードワイヤに代えて丸素線のビードワイヤを用いてビードコアを構成したものである（図示せず）。すなわちビードコアは、実施例１〜５と同一金属製の１．８ｍｍ径の１本のビードワイヤをタイヤ径方向内側から順に、７、８、９、８、７及び６列となるようにタイヤ幅方向及びタイヤ径方向にコイル状に巻き重ねてなり、その断面形状は六角形である。なお、ビードワイヤの巻き数は、上記実施例１〜５のタイヤ幅方向断面におけるビードワイヤの総断面積と同一となるように決定されている。また、その以外の構成は、実施例１〜５のタイヤと同じである。【００５４】
これらの各試験タイヤを以下に示す方法により、ビードコアの回転変化及びビード部の耐久性の試験を行った。【００５５】
（ビードコアの回転変化試験）
ビードコアの回転変化試験は、上記タイヤをサイズ８．２５のリムに装着し、内部に空気圧を加える前と７００ｋＰａ（相対圧）の空気圧を付与したときのタイヤ幅方向断面におけるビードコアをそれぞれＣＴスキャン装置を用いて撮影し、ビードコアの相対的な角度変化を計測した。その結果を表１に示す。【００５６】
（耐久性試験）
ビード部の耐久性試験は、上記タイヤを同じくサイズ８．２５のリムに装着し、室温が４５℃の下、内部に７００ｋＰａ（相対圧）の空気圧を適用し、室内ドラム試験機を用い、これらタイヤを５７ｋＮの荷重（正規荷重の１８０％）の作用下で６０ｋｍ／ｈの速度で負荷転動させ、ビード部１が故障するまでの走行距離を計測した。その結果を表１に示す。【００５７】
【表１】
2008143288.tif 000003
【００５８】
表１の結果から明らかなように、タイヤ幅方向に隣接するビードワイヤを相補的な形状により相互に係合することにより、ビードコア全体の回転剛性が向上し、ビード部の耐久性が著しく向上することが確認された。【００５９】
さらに、その相補的な形状を構成する補完形状部及び被補完形状部を、図５（ｅ）に示すようなキー及びキー溝型で形成することにより、ビード部の耐久性が一層向上することが分った。
【産業上の利用可能性】
【００６０】
以上の説明から明らかなように、この発明によって、ビードコア全体としての回転剛性を大きくしてカーカス引き抜けを抑制することができ、もってビード部の耐久性の向上が可能な空気入りタイヤを提供することが可能となった。
【図１】
2008143288.tif 000004
【図２】
2008143288.tif 000005
【図３】
2008143288.tif 000006
【図４】
2008143288.tif 000007
【図５】
2008143288.tif 000008
【図６】
2008143288.tif 000009
【図７】
2008143288.tif 000010
【図８】
2008143288.tif 000011
【図９】
2008143288.tif 000012
【図１０】
2008143288.tif 000013
【国際調査報告】
2008143288.tif 000014
2008143288.tif 000015
2008143288.tif 000016
2008143288.tif 000017